【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいてリソースの選択を制御するための方法であって、
基地局コントローラが、前記ワイヤレス通信ネットワークの通信セクタ中のセクタ・キャリア・ペアの動的ローディングに関するデータを収集することと、
前記基地局コントローラが、前記ワイヤレス通信ネットワーク内のアクセス端末へのパイロットのデータ・フローのためのデータ・レートを取得することと、
前記基地局コントローラが、前記データ・レートと前記動的ローディングとに基づいて、前記ワイヤレス通信ネットワークにおいてデータを搬送するために使用すべき１つまたは複数のパイロットを判断することと、
前記基地局コントローラが、同じチャネルを使用するパイロット間のパイロット・ツー・パイロット干渉を表す位相空間干渉マップを生成することと、
前記基地局コントローラが、前記位相空間干渉マップに基づいて総データ・フローを増加させるために、データを搬送するための前記ワイヤレス通信ネットワークによって使用されるパイロットの組合せを変更することによって、前記総データ・フローを増加させるために、前記パイロットのうちの少なくとも１つにわたるデータ・レートを変更することによって、前記パイロットにわたるデータ・フローを改変することと、
を備える方法。
【請求項２】
前記改変することが、前記ネットワークの複数の送受信基地局における分散型ネットワーク・スケジューリングと、前記ネットワークの基地局コントローラにおけるフロー制御レートのバイアスとを行うことを備える請求項１に記載の方法。
【請求項３】
前記判断することが、各オプションがパイロットの組合せと前記パイロットのためのそれぞれのデータ・レートとを備える、複数のネットワーク・データ・フロー・オプションを分析することを備え、前記改変することが、第１のパイロットから、前記第１のパイロットよりも軽い負荷をもつ第２のパイロットにフローを変更する請求項１に記載の方法。
【請求項４】
前記判断することが、相互パイロット干渉と、空間的に非一様なユーザ要求と、デバイス部分ローディング・パフォーマンスと、前記セクタ・キャリア・ペアの負荷レベルとに基づく請求項１に記載の方法。
【請求項５】
前記判断することが、前記アクセス端末によって選択されるパイロットの組合せを分析することを備え、前記方法が、
前記アクセス端末のうちの少なくともいくつかがパイロット・ローディングに基づいて信号対干渉雑音比（ＳＩＮＲ）測定値をバイアスし、前記アクセス端末がパイロットを選択するためにバイアスＳＩＮＲ値を使用すること、または
前記アクセス端末のうちの少なくともいくつかがパイロット・ローディングに基づいて特定のパイロットを選択することを抑止すること、
のうちの少なくとも１つをさらに備える請求項１に記載の方法。
【請求項６】
前記判断することが、前記アクセス端末によって選択されるパイロットの組合せを分析することを備え、前記方法が、
前記アクセス端末にパイロット・ローディング情報を送信することと、
前記アクセス端末が前記アクセス端末に送信された前記ローディング情報に基づいてパイロットを選択することと、
をさらに備える請求項１に記載の方法。
【請求項７】
前記アクセス端末にしきい値を送信することと、
前記アクセス端末における前記パイロットの信号強度を前記しきい値と比較することと、
信号強度が第１のアクセス端末のアクティブ・セット中の最も強いパイロット信号強度とは前記しきい値よりも多い量だけ異なるパイロットに対応する前記第１のアクセス端末からの不良順方向リンク品質の指示を送信することと、
をさらに備える請求項６に記載の方法。
【請求項８】
前記判断することが、各オプションがパイロットの組合せと前記パイロットのためのそれぞれのデータ・レートとを備える、複数のネットワーク・データ・フロー・オプションの総データ・レートを比較することを備え、前記改変することが、前記複数のネットワーク・データ・フロー・オプションのうち、最も高い総データ・レートをもつ前記オプションを実装することを備える請求項１に記載の方法。
【請求項９】
前記アクセス端末からのパイロット強度指示を使用して相互パイロット結合推定を判断することをさらに備え、データを搬送するために使用すべき前記１つまたは複数のパイロットを判断することが、前記相互パイロット結合推定を使用する請求項１に記載の方法。
【請求項１０】
前記相互パイロット結合推定を判断することが、測定受信電力とアクセス端末ロケーション情報とを使用することをさらに含む、請求項９に記載の方法。
【請求項１１】
前記相互パイロット結合推定に基づいて１つまたは複数のパイロットにおける電力を低減することをさらに備える請求項９に記載の方法。
【請求項１２】
前記相互パイロット結合推定に基づいて１つまたは複数のパイロットを無効化することをさらに備える請求項９に記載の方法。
【請求項１３】
前記改変することは、送受信基地局が基地局コントローラを介してローディング情報を交換することと、第１の送受信基地局が、前記第１の送受信基地局とは別個の第２の送受信基地局からの特定のアクセス端末についてのローディング情報に応答して前記特定のアクセス端末へのデータ・フローを変更することとを備える請求項１に記載の方法。
【請求項１４】
前記収集することが、各パイロットのデータ・サービス・レートと、チャネル状態と、キュー状態と、サービス品質（ＱｏＳ）要件とを判断することができるデータを収集することをさらに含み、前記判断することが、（１）パイロット負荷の分散と（２）部分ローディング・パフォーマンスおよびサービング・パイロット瞬時信号品質の損失との間のトレード・オフを分析する請求項１に記載の方法。
【請求項１５】
プロセッサに、
基地局コントローラが、ワイヤレス通信ネットワークの通信セクタ中のセクタ・キャリア・ペアの動的ローディングに関するデータを収集することと、
基地局コントローラが、前記ワイヤレス通信ネットワーク内のアクセス端末へのパイロットのデータ・フローのためのデータ・レートを取得することと、
基地局コントローラが、前記データ・レートと前記動的ローディングとに基づいて、前記ワイヤレス通信ネットワークにおいてデータを搬送するために使用すべき１つまたは複数のパイロットを判断することと、
前記基地局コントローラが、同じチャネルを使用するパイロット間のパイロット・ツー・パイロット干渉を表す位相空間干渉マップを生成することと、
前記基地局コントローラが、前記位相空間干渉マップに基づいて総データ・フローを増加させるために、データを搬送するための前記ワイヤレス通信ネットワークによって使用されるパイロットの組合せを変更することによって、前記総データ・フローを増加させるために、前記パイロットのうちの少なくとも１つにわたるデータ・レートを変更することによって、前記パイロットにわたるデータ・フローを改変することと、
を行わせるように構成されたプロセッサ可読命令を備えるコンピュータ・プログラム。
【請求項１６】
前記プロセッサに前記１つまたは複数のパイロットを判断させるように構成された前記命令が、前記プロセッサに、相互パイロット干渉と、空間的に非一様なユーザ要求と、データトラフィックに関連付けられた干渉と比較してパイロット信号に関連づけられた干渉の差を表す部分ローディング・パフォーマンスと、前記１つまたは複数のパイロット間のトラフィックの負荷分散とを行わせるように構成された請求項１５に記載のコンピュータ・プログラム。
【請求項１７】
前記プロセッサに前記１つまたは複数のパイロットを判断させるように構成された前記命令が、前記プロセッサに、前記アクセス端末によって選択されるパイロットの組合せを考慮させるように構成され、前記命令が、前記プロセッサに、
パイロット・ローディングに基づいて順方向リンク信号対干渉雑音比（ＳＩＮＲ）測定値をバイアスすること、
パイロットを選択するためにバイアスＳＩＮＲ値を使用すること、または
前記アクセス端末のうちの少なくとも１つがパイロット・ローディングに基づいて特定のパイロットを選択することを抑止すること、
のうちの少なくとも１つを行わせるようにさらに構成された請求項１５に記載のコンピュータ・プログラム。
【請求項１８】
前記プロセッサにデータ・フローを改変させるように構成された前記命令が、前記プロセッサに、アクセス端末ローディング情報および位相空間干渉マップに基づいてパイロットを選択させるように構成された請求項１５に記載のコンピュータ・プログラム。
【請求項１９】
前記プロセッサに前記１つまたは複数のパイロットを判断させるように構成された前記命令が、前記プロセッサに、
第１のアクセス端末におけるパイロットの信号強度を送受信基地局から受信したしきい値と比較することと、
信号強度が前記第１のアクセス端末のアクティブ・セット中の最も強いパイロット信号強度とは前記しきい値よりも多い量だけ異なるパイロットに対応する不良順方向リンク品質の指示を送信することと、
を行わせるように構成された請求項１５に記載のコンピュータ・プログラム。
【請求項２０】
前記プロセッサに前記１つまたは複数のパイロットを判断させるように構成された前記命令が、前記プロセッサに、各オプションがパイロットの組合せと前記パイロットのためのそれぞれのデータ・レートとを備える、複数のネットワーク・データ・フロー・オプションの総データ・レートを比較させるように構成され、前記プロセッサにデータ・フローを改変させるように構成された前記命令が、前記プロセッサに、前記複数のネットワーク・データ・フロー・オプションのうち、最も高い総データ・レートをもつ前記オプションを実装させるように構成された請求項１５に記載のコンピュータ・プログラム。
【請求項２１】
前記プロセッサに、前記アクセス端末からのパイロット強度指示を使用して相互パイロット結合推定を判断させるように構成された命令をさらに備え、前記プロセッサに前記１つまたは複数のパイロットを判断させるように構成された前記命令が、前記プロセッサに、前記相互パイロット結合推定を使用させるように構成された請求項１５に記載のコンピュータ・プログラム。
【請求項２２】
ワイヤレス通信ネットワークにおいてリソースの選択を制御するための装置であって、
基地局コントローラが、前記ワイヤレス通信ネットワークの通信セクタ中のセクタ・キャリア・ペアの動的ローディングに関するデータを収集するための手段と、
基地局コントローラが、前記ワイヤレス通信ネットワーク内のアクセス端末へのパイロットのデータ・フローのためのデータ・レートを取得するための手段と、
基地局コントローラが、前記データ・レートと前記動的ローディングとに基づいて、前記ワイヤレス通信ネットワークにおいてデータを搬送するために使用すべき１つまたは複数のパイロットを判断するための手段と、
前記基地局コントローラが、同じチャネルを使用するパイロット間のパイロット・ツー・パイロット干渉を表す位相空間干渉マップを生成するための手段と、
前記基地局コントローラが、前記位相空間干渉マップに基づいて総データ・フローを増加させるために、データを搬送するための前記ワイヤレス通信ネットワークによって使用されるパイロットの組合せを変更することによって、前記総データ・フローを増加させるために、前記パイロットのうちの少なくとも１つにわたるデータ・レートを変更することによって、前記パイロットにわたるデータ・フローを改変するための手段と、
を備える装置。
【請求項２３】
改変するための前記手段が、前記ネットワークの複数の送受信基地局においてスケジューリングするための手段と、前記ネットワークの基地局コントローラにおいてフロー制御レートをバイアスするための手段とを備える請求項２２に記載の装置。
【請求項２４】
判断するための前記手段が、各オプションがパイロットの組合せと前記パイロットのためのそれぞれのデータ・レートとを備える、複数のネットワーク・データ・フロー・オプションを分析するための手段を備える請求項２２に記載の装置。
【請求項２５】
判断するための前記手段が、相互パイロット干渉と、空間的に非一様なユーザ要求と、データトラフィックに関連付けられた干渉と比較してパイロット信号に関連づけられた干渉の差を表す部分ローディング・パフォーマンスと、前記１つまたは複数のパイロット間のトラフィックの負荷分散とを考慮するための手段を備える請求項２２に記載の装置。
【請求項２６】
判断するための前記手段が、前記アクセス端末によって選択されるパイロットの組合せを分析するための手段を備え、前記装置が、
前記アクセス端末のうちの少なくともいくつかがパイロット・ローディングに基づいて信号対干渉雑音比（ＳＩＮＲ）測定値をバイアスし、前記アクセス端末がパイロットを選択するためにバイアスＳＩＮＲ値を使用するための手段、または
前記アクセス端末のうちの少なくともいくつかがパイロット・ローディングに基づいて特定のパイロットを選択することを抑止するための手段のうちの少なくとも１つをさらに備える請求項２２に記載の装置。
【請求項２７】
判断するための前記手段が、各オプションがパイロットの組合せと前記パイロットのためのそれぞれのデータ・レートとを備える、複数のネットワーク・データ・フロー・オプションの総データ・レートを比較するための手段を備え、前記改変するための手段が、前記複数のネットワーク・データ・フロー・オプションのうち、最も高い総データ・レートをもつ前記オプションを実装するように構成された請求項２２に記載の装置。
【請求項２８】
前記アクセス端末からのパイロット強度指示を使用して相互パイロット結合を推定するための手段をさらに備え、判断するための手段が、前記１つまたは複数のパイロットを判断するために相互パイロット結合推定を使用するように構成された請求項２２に記載の装置。
【請求項２９】
ワイヤレス通信システムの基地局コントローラであって、
ワイヤード通信ネットワークと通信するように構成されたネットワーク・インターフェースと、
複数の送受信基地局とワイヤレス通信するように構成された送受信基地局インターフェースと、
ワイヤレス通信ネットワークの通信セクタ中のセクタ・キャリア・ペアの動的ローディングに関するデータを収集することと、
前記ワイヤレス通信ネットワーク内のアクセス端末へのパイロットのデータ・フローのためのデータ・レートを取得することと、
前記データ・レートと前記動的ローディングとに基づいて、前記ワイヤレス通信ネットワークにおいてデータを搬送するために使用すべきパイロットの組合せを判断することと、
同じチャネルを使用するパイロット間のパイロット・ツー・パイロット干渉を表す位相空間干渉マップを生成することと、
前記位相空間干渉マップに基づいて総データ・フローを増加させるために、データを搬送するための前記ワイヤレス通信ネットワークによって使用されるパイロットの組合せを変更することによって、前記組合せに従って前記パイロットにわたるデータ・レートを変更し、前記ワイヤレス通信システムにおいて使用する前記パイロットを変更することによって、前記パイロットにわたるデータ・フローを改変することと、
を行うように構成されたスケジューラと、
を備える基地局コントローラ。
【請求項３０】
前記スケジューラが、相互パイロット干渉、空間的に非一様なユーザ要求、デバイス部分ローディング・パフォーマンス、または負荷分散のうちの少なくとも１つに関与するネットワーク全体にわたるトレード・オフに基づいて前記組合せを判断するように構成された請求項２９に記載の基地局コントローラ。
【請求項３１】
前記スケジューラが、前記送受信基地局におけるスケジューラ重みをバイアスするために前記送受信基地局インターフェースを介して前記ワイヤレス通信ネットワークの送受信基地局に向けてパイロット・ローディング情報を送信することによって、前記データ・フローを改変するように構成された請求項２９に記載の基地局コントローラ。
【請求項３２】
前記送受信基地局インターフェースを介して受信したアクセス端末からのパイロット強度指示を使用して相互パイロット結合推定を生成するように構成された相互パイロット結合モジュールをさらに備え、前記スケジューラが、前記相互パイロット結合推定を使用して前記組合せを判断するように構成された請求項２９に記載の基地局コントローラ。
【請求項３３】
前記相互パイロット結合モジュールが、測定受信電力とアクセス端末ロケーション情報とを使用して前記相互パイロット結合推定を生成するように構成された請求項３２に記載の基地局コントローラ。
【請求項３４】
ワイヤレス通信システムの送受信基地局であって、
アクセス端末とワイヤレス通信するように構成されたアンテナと、
前記アンテナに結合され、前記アンテナとの間で信号を送信および受信するように構成されたトランシーバと、
前記トランシーバに結合され、セクタ・キャリアのローディング情報を分析すること、および前記アクセス端末のうちの少なくともいくつかが特定のパイロットを選択することを抑止するために、前記ローディング情報に基づいて、前記トランシーバを介して前記アクセス端末に向けて命令を送信することを行うように構成されたプロセッサと、
を備え、
前記プロセッサは、同じチャネルを使用するパイロット間のパイロット・ツー・パイロット干渉を表す位相空間干渉マップを生成することを行うようにさらに構成され、前記アクセス端末のうちの少なくともいくつかが特定のパイロットを選択することを抑止するための前記命令は、前記位相空間干渉マップに少なくとも部分的に基づく、送受信基地局。
【請求項３５】
前記命令が、指示されたセクタ・キャリアをアンロックするように前記アクセス端末に指示するＤＲＣロック指示である請求項３４に記載の送受信基地局。
【手続補正２】
【補正対象書類名】明細書
【補正対象項目名】００８１
【補正方法】変更
【補正の内容】
【００８１】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されなく、本明細書で開示する原理および新規の特徴に合致する最も広い範囲を与えられるべきである。
以下に、本願出願の当初の特許請求の範囲に記載された発明を付記する。
［Ｃ１］
ワイヤレス通信ネットワークにおいてデータ・フローを調整する方法であって、
前記ワイヤレス通信ネットワークの通信セクタ中のセクタ・キャリア・ペア（パイロット）の動的ローディングに関するデータを収集することと、
前記ワイヤレス通信ネットワーク内のアクセス端末への前記パイロットのデータ・フローのためのデータ・レートを取得することと、
前記データ・レートと前記動的ローディングとに基づいて、前記ワイヤレス通信ネットワークにおいてデータを搬送するために使用すべき１つまたは複数のパイロットを判断することと、
総データ・フローを増加させるために、前記パイロットのうちの少なくとも１つにわたるデータ・レートを変更すること、またはデータを搬送するために前記ワイヤレス通信ネットワークによって使用されるパイロットの組合せを変更することのうちの少なくとも１つによって、前記パイロットにわたるデータ・フローを改変することと、
を備える方法。
［Ｃ２］
前記改変することが、前記ネットワークの複数の送受信基地局における分散型ネットワーク・スケジューリングと、前記ネットワークの基地局コントローラにおけるフロー制御レートのバイアスとを行うことを備えるＣ１に記載の方法。
［Ｃ３］
前記判断することが、各オプションがパイロットの組合せと前記パイロットのためのそれぞれのデータ・レートとを備える、複数のネットワーク・データ・フロー・オプションを分析することを備え、前記改変することが、第１のパイロットから、前記第１のパイロットよりも軽い負荷をもつ第２のパイロットにフローを変更するＣ１に記載の方法。
［Ｃ４］
前記判断することが、相互パイロット干渉と、空間的に非一様なユーザ要求と、デバイス部分ローディング・パフォーマンスと、前記セクタ・キャリア・ペアの負荷レベルとに基づくＣ１に記載の方法。
［Ｃ５］
前記判断することが、前記アクセス端末によって選択されるパイロットの組合せを分析することを備え、前記方法が、
前記アクセス端末のうちの少なくともいくつかがパイロット・ローディングに基づいてＳＩＮＲ測定値をバイアスし、前記アクセス端末がパイロットを選択するためにバイアスＳＩＮＲ値を使用すること、または
前記アクセス端末のうちの少なくともいくつかがパイロット・ローディングに基づいて特定のパイロットを選択することを抑止すること、
のうちの少なくとも１つをさらに備えるＣ１に記載の方法。
［Ｃ６］
前記判断することが、前記アクセス端末によって選択されるパイロットの組合せを分析することを備え、前記方法が、
前記アクセス端末にパイロット・ローディング情報を送信することと、
前記アクセス端末が前記アクセス端末に送信された前記ローディング情報に基づいてパイロットを選択することと、
をさらに備えるＣ１に記載の方法。
［Ｃ７］
前記アクセス端末にしきい値を送信することと、
前記アクセス端末における前記パイロットの信号強度を前記しきい値と比較することと、
信号強度が第１のアクセス端末のアクティブ・セット中の最も強いパイロット信号強度とは前記しきい値よりも多い量だけ異なるパイロットに対応する前記第１のアクセス端末からの不良順方向リンク品質の指示を送信することと、
をさらに備えるＣ６に記載の方法。
［Ｃ８］
前記判断することが、各オプションがパイロットの組合せと前記パイロットのためのそれぞれのデータ・レートとを備える、複数のネットワーク・データ・フロー・オプションの総データ・レートを比較することを備え、前記改変することが、前記複数のネットワーク・データ・フロー・オプションのうち、最も高い総データ・レートをもつ前記オプションを実装することを備えるＣ１に記載の方法。
［Ｃ９］
前記アクセス端末からのパイロット強度指示を使用して相互パイロット結合推定を判断することをさらに備え、データを搬送するために使用すべき前記１つまたは複数のパイロットを判断することが、前記相互パイロット結合推定を使用するＣ１に記載の方法。
［Ｃ１０］
前記相互パイロット結合推定を判断することが、測定受信電力とアクセス端末ロケーション情報とを使用することをさらに含む、Ｃ９に記載の方法。
［Ｃ１１］
前記相互パイロット結合推定に基づいて１つまたは複数のパイロットにおける電力を低減することをさらに備えるＣ９に記載の方法。
［Ｃ１２］
前記相互パイロット結合推定に基づいて１つまたは複数のパイロットを無効化することをさらに備えるＣ９に記載の方法。
［Ｃ１３］
前記改変することは、送受信基地局基地局がコントローラを介してローディング情報を交換することと、前記第１の送受信基地局が、第１の送受信基地局とは別個の第２の送受信基地局からの特定のアクセス端末についてのローディング情報に応答して前記特定のアクセス端末へのデータ・フローを変更することとを備えるＣ１に記載の方法。
［Ｃ１４］
前記収集することが、各パイロットのデータ・サービス・レートと、チャネル状態と、キュー状態と、サービス品質（ＱｏＳ）要件とを判断することができるデータを収集することをさらに含み、前記判断することが、（１）パイロット負荷の分散と（２）部分ローディング・パフォーマンスおよびサービング・パイロット瞬時信号品質の損失との間のトレード・オフを分析するＣ１に記載の方法。
［Ｃ１５］
プロセッサに、
ワイヤレス通信ネットワークの通信セクタ中のセクタ・キャリア・ペア（パイロット）の動的ローディングに関するデータを収集することと、
前記ワイヤレス通信ネットワーク内のアクセス端末への前記パイロットのデータ・フローのためのデータ・レートを取得することと、
前記データ・レートと前記動的ローディングとに基づいて、前記ワイヤレス通信ネットワークにおいてデータを搬送するために使用すべき１つまたは複数のパイロットを判断することと、
総データ・フローを増加させるために、前記パイロットのうちの少なくとも１つにわたるデータ・レートを変更すること、またはデータを搬送するために前記ワイヤレス通信ネットワークによって使用されるパイロットの組合せを変更することのうちの少なくとも１つによって、前記パイロットにわたるデータ・フローを改変することと、
を行わせるように構成されたプロセッサ可読命令を記憶するプロセッサ可読媒体を備えるコンピュータ・プログラム製品。
［Ｃ１６］
前記プロセッサに前記１つまたは複数のパイロットを判断させるように構成された前記命令が、前記プロセッサに、相互パイロット干渉と、空間的に非一様なユーザ要求と、デバイス部分ローディング・パフォーマンスと、負荷分散とを考慮させるように構成されたＣ１５に記載のコンピュータ・プログラム製品。
［Ｃ１７］
前記プロセッサに前記１つまたは複数のパイロットを判断させるように構成された前記命令が、前記プロセッサに、前記アクセス端末によって選択されるパイロットの組合せを考慮させるように構成され、前記命令が、前記プロセッサに、
パイロット・ローディングに基づいて順方向リンクＳＩＮＲ測定値をバイアスすること、
パイロットを選択するためにバイアスＳＩＮＲ値を使用すること、または
前記アクセス端末のうちの少なくとも１つがパイロット・ローディングに基づいて特定のパイロットを選択することを抑止すること、
のうちの少なくとも１つを行わせるようにさらに構成されたＣ１５に記載のコンピュータ・プログラム製品。
［Ｃ１８］
前記プロセッサにデータ・フローを改変させるように構成された前記命令が、前記プロセッサに、アクセス端末ローディング情報に基づいてパイロットを選択させるように構成されたＣ１５に記載のコンピュータ・プログラム製品。
［Ｃ１９］
前記プロセッサに前記１つまたは複数のパイロットを判断させるように構成された前記命令が、前記プロセッサに、
第１のアクセス端末におけるパイロットの信号強度を送受信基地局から受信したしきい値と比較することと、
信号強度が前記第１のアクセス端末のアクティブ・セット中の最も強いパイロット信号強度とは前記しきい値よりも多い量だけ異なるパイロットに対応する不良順方向リンク品質の指示を送信することと、
を行わせるように構成されたＣ１５に記載のコンピュータ・プログラム製品。
［Ｃ２０］
前記プロセッサに前記１つまたは複数のパイロットを判断させるように構成された前記命令が、前記プロセッサに、各オプションがパイロットの組合せと前記パイロットのためのそれぞれのデータ・レートとを備える、複数のネットワーク・データ・フロー・オプションの総データ・レートを比較させるように構成され、前記プロセッサにデータ・フローを改変させるように構成された前記命令が、前記プロセッサに、前記複数のネットワーク・データ・フロー・オプションのうち、最も高い総データ・レートをもつ前記オプションを実装させるように構成されたＣ１５に記載のコンピュータ・プログラム製品。
［Ｃ２１］
前記プロセッサに、前記アクセス端末からのパイロット強度指示を使用して相互パイロット結合推定を判断させるように構成された命令をさらに備え、前記プロセッサに前記１つまたは複数のパイロットを判断させるように構成された前記命令が、前記プロセッサに、前記相互パイロット結合推定を使用させるように構成されたＣ１５に記載のコンピュータ・プログラム製品。
［Ｃ２２］
ワイヤレス通信ネットワークにおいてデータを調整するように構成された装置であって、
前記ワイヤレス通信ネットワークの通信セクタ中のセクタ・キャリア・ペア（パイロット）の動的ローディングに関するデータを収集するための手段と、
前記ワイヤレス通信ネットワーク内のアクセス端末への前記パイロットのデータ・フローのためのデータ・レートを取得するための手段と、
前記データ・レートと前記動的ローディングとに基づいて、前記ワイヤレス通信ネットワークにおいてデータを搬送するために使用すべき１つまたは複数のパイロットを判断するための手段と、
総データ・フローを増加させるために、前記パイロットのうちの少なくとも１つにわたるデータ・レートを変更すること、またはデータを搬送するために前記ワイヤレス通信ネットワークによって使用されるパイロットの組合せを変更することのうちの少なくとも１つによって、前記パイロットにわたるデータ・フローを改変するための手段と、
を備える装置。
［Ｃ２３］
改変するための前記手段が、前記ネットワークの複数の送受信基地局においてスケジューリングするための手段と、前記ネットワークの基地局コントローラにおいてフロー制御レートをバイアスするための手段とを備えるＣ２２に記載の装置。
［Ｃ２４］
判断するための前記手段が、各オプションがパイロットの組合せと前記パイロットのためのそれぞれのデータ・レートとを備える、複数のネットワーク・データ・フロー・オプションを分析するための手段を備えるＣ２２に記載の装置。
［Ｃ２５］
判断するための前記手段が、相互パイロット干渉と、空間的に非一様なユーザ要求と、デバイス部分ローディング・パフォーマンスと、負荷分散とを考慮するための手段を備えるＣ２２に記載の装置。
［Ｃ２６］
判断するための前記手段が、前記アクセス端末によって選択されるパイロットの組合せを分析するための手段を備え、前記装置が、
前記アクセス端末のうちの少なくともいくつかがパイロット・ローディングに基づいてＳＩＮＲ測定値をバイアスし、前記アクセス端末がパイロットを選択するためにバイアスＳＩＮＲ値を使用するための手段、または
前記アクセス端末のうちの少なくともいくつかがパイロット・ローディングに基づいて特定のパイロットを選択することを抑止するための手段のうちの少なくとも１つをさらに備えるＣ２２に記載の装置。
［Ｃ２７］
判断するための前記手段が、各オプションがパイロットの組合せと前記パイロットのためのそれぞれのデータ・レートとを備える、複数のネットワーク・データ・フロー・オプションの総データ・レートを比較するための手段を備え、前記改変するための手段が、前記複数のネットワーク・データ・フロー・オプションのうち、最も高い総データ・レートをもつ前記オプションを実装するように構成されたＣ２２に記載の装置。
［Ｃ２８］
前記アクセス端末からのパイロット強度指示を使用して相互パイロット結合を推定するための手段をさらに備え、判断するための手段が、前記１つまたは複数のパイロットを判断するために前記相互パイロット結合推定を使用するように構成されたＣ２２に記載の装置。
［Ｃ２９］
ワイヤレス通信システムの基地局コントローラであって、
ワイヤード通信ネットワークと通信するように構成されたネットワーク・インターフェースと、
複数の送受信基地局とワイヤレス通信するように構成された送受信基地局インターフェースと、
前記ワイヤレス通信ネットワークの通信セクタ中のセクタ・キャリア・ペア（パイロット）の動的ローディングに関するデータを収集することと、
前記ワイヤレス通信ネットワーク内のアクセス端末への前記パイロットのデータ・フローのためのデータ・レートを取得することと、
前記データ・レートと前記動的ローディングとに基づいて、前記ワイヤレス通信ネットワークにおいてデータを搬送するために使用すべきパイロットの組合せを判断することと、
前記組合せに従って前記パイロットにわたるデータ・レートを変更し、前記ワイヤレス通信システムにおいて使用する前記パイロットを変更することによって、前記パイロットにわたるデータ・フローを改変することと、
を行うように構成されたスケジューラと、
を備える基地局コントローラ。
［Ｃ３０］
前記スケジューラが、相互パイロット干渉、空間的に非一様なユーザ要求、デバイス部分ローディング・パフォーマンス、または負荷分散のうちの少なくとも１つに関与するネットワーク全体にわたるトレード・オフに基づいて前記組合せを判断するように構成されたＣ２９に記載の基地局コントローラ。
［Ｃ３１］
前記スケジューラが、前記送受信基地局におけるスケジューラ重みをバイアスするために前記送受信基地局インターフェースを介して前記ワイヤレス通信ネットワークの送受信基地局に向けてパイロット・ローディング情報を送信することによって、前記データ・フローを改変するように構成されたＣ２９に記載の基地局コントローラ。
［Ｃ３２］
前記送受信基地局インターフェースを介して受信したアクセス端末からのパイロット強度指示を使用して相互パイロット結合推定を生成するように構成された相互パイロット結合モジュールをさらに備え、前記スケジューラが、前記相互パイロット結合推定を使用して前記組合せを判断するように構成されたＣ２９に記載の基地局コントローラ。
［Ｃ３３］
前記相互パイロット結合モジュールが、測定受信電力とアクセス端末ロケーション情報とを使用して前記相互パイロット結合推定を生成するように構成されたＣ３２に記載の基地局コントローラ。
［Ｃ３４］
ワイヤレス通信システムのアクセス端末であって、前記基地局コントローラが、
ワイヤレス通信を送信および受信するように構成されたアンテナと、
前記アンテナに結合されたトランシーバと、
前記アクセス端末のアクティブ・セット中の各キャリアのためのセクタを選択することによってパイロットを選択するための選択手段であって、前記選択手段が、前記アクティブ・セット中の前記キャリアのための前記セクタを選択するために前記アンテナを介して受信したパイロット・ローディングの指示を使用するように構成された選択手段と、
を備えるアクセス端末。
［Ｃ３５］
前記アンテナによって受信される順方向リンク信号のＳＩＮＲを測定するための測定手段をさらに備え、前記選択手段が、前記ＳＩＮＲ測定値をバイアスしてバイアスＳＩＮＲ値を形成し、前記バイアスＳＩＮＲ値を使用して前記セクタを選択するために、パイロット・ローディングの前記指示を使用するように構成されたＣ３４に記載のアクセス端末。
［Ｃ３６］
前記選択手段が、
前記アンテナを介して受信した信号の信号強度を前記アンテナを介して受信したしきい値と比較することと、
信号強度が前記アクティブ・セット中の最も強いパイロット信号強度とは前記しきい値よりも多い量だけ異なるあらゆるパイロットをあり得る選択から除外することとを行うようにさらに構成されたＣ３４に記載のアクセス端末。
［Ｃ３７］
ワイヤレス通信システムの送受信基地局であって、
アクセス端末とワイヤレス通信するように構成されたアンテナと、
前記アンテナに結合され、前記アンテナとの間で信号を送信および受信するように構成されたトランシーバと、
前記トランシーバに結合され、セクタ・キャリアのローディング情報を分析するように構成され、（１）前記ローディング情報に基づいてセクタ・キャリアデータスケジューリングを改変すること、または（２）前記アクセス端末のうちの少なくともいくつかが特定のパイロットを選択することを抑止するために、前記ローディング情報に基づいて、前記トランシーバを介して前記アクセス端末に向けて命令を送信することのうちの少なくとも１つを行うように構成されたプロセッサと、
を備える送受信基地局。
［Ｃ３８］
前記命令が、指示されたセクタ・キャリアをアンロックするように前記アクセス端末に指示するＤＲＣロック指示であるＣ３７に記載の送受信基地局。